(57)【特許請求の範囲】
【請求項１】
浴室に設置される浴室用鏡の上下に配置され、その浴室用鏡の上端又は下端を把持する把持部を備えた上下一対の浴室用鏡支持フレームにより、前記浴室の壁面に対し支持するようにした浴室用鏡の支持構造であって、
ＬＥＤ光源が前記浴室用鏡の裏面側において当該浴室用鏡の幅方向に距離を隔てて複数並設されたＬＥＤ光源基板と、このＬＥＤ光源基板を収容するケーシングとを備えるＬＥＤユニットが、前記各浴室用鏡支持フレームのうちの少なくとも一方の浴室用鏡支持フレームに支持されていて、
前記ケーシングが、前記各ＬＥＤ光源から発する光によって生じる光の濃淡を緩和して前記浴室内に照射させる緩和手段と、少なくとも外方面に設けられ、光の濃淡を緩和する拡散層と、押出成形により成形され、前記ＬＥＤ光源基板を内部に収容する筒状部材と、この筒状部材の両端部を閉塞するキャップとを備えており、
前記筒状部材の両端部のキャップのうちの少なくとも一方には、一端が前記筒状部材の外部空間に開口する管の他端が接続されていることを特徴とする浴室用鏡の支持構造。
【請求項２】
前記ケーシングが、外方面から内方へ入り込んだ位置で前記ＬＥＤ光源基板を保持している請求項１に記載の浴室用鏡の支持構造。
【請求項３】
前記浴室用鏡の上側に設置されるＬＥＤユニットは、前記ケーシング上面の壁面側から前記把持部側に向かって下り勾配になっているとともに、その下端縁が前記把持部上縁に対してほぼ一致するか少し高くなるように支持されている請求項１又は請求項２に記載の浴室用鏡の支持構造。
【請求項４】
前記請求項１〜請求項３のいずれか１つに記載の浴室用鏡の支持構造を備えている浴室用鏡ユニット。
【発明の詳細な説明】
【技術分野】
【０００１】
本発明は、浴室の壁面に設置される浴室用鏡を支持するための支持構造及びこれを備えた浴室用鏡ユニットに関し、特に、浴室用鏡の外方向きに光を照射するＬＥＤ光源を備えたものに係る。
【背景技術】
【０００２】
従来より、この種浴室用鏡の支持構造としては、浴室用鏡の上下に配置され、かつその浴室用鏡の上端及び下端をそれぞれ個別に把持する把持部を備えた上下一対の浴室用鏡支持フレームによって、浴室の壁面に対し浴室用鏡を支持するようにしたものが知られている（例えば、特許文献１参照）。
この各浴室用鏡支持フレームには、浴室内に光を照射する光源を収容した箱体の上下両端が支持されている。また、前記光源としては、箱体内にその左右両側面に沿ってそれぞれ収容された蛍光灯が適用されている。更に、前記箱体は、前記各蛍光灯からの光を浴室用鏡の上下方向での外方向きつまり上方及び下方に向けて照射するように反射させる反射板を内部に備えているとともに、上下両面に半透明乳白色の板材を備えている。そして、前記各蛍光灯からの光を反射板によりそれぞれ反射させて前記板材を介して浴室用鏡の上方及び下方に向けて浴室内に照射することで、円滑な間接照明を行えるように構成されている。
【先行技術文献】
【特許文献】
【０００３】
【特許文献１】特開２００５−２２８６５４号公報
【発明の概要】
【発明が解決しようとする課題】
【０００４】
ところが、前記従来の浴室用鏡の支持構造では、浴室用鏡と壁面との間に箱体が介在し、この箱体内に光源としての蛍光灯が収容されているため、箱体によって、浴室用鏡と壁面との間に非常に大きなスペースを要して壁面からの浴室用鏡の突出量が増大し、浴室内で圧迫感が生じてしまう。
しかも、光源としての蛍光灯は、消費電力が大きい上に寿命も短いため、近年の省エネルギー化を図ることができず、交換サイクルも短いものとなる。
【０００５】
そこで、コンパクトで消費電力が小さく、かつ寿命も長いＬＥＤ光源を光源として適用することが考えられる。その場合、単一のＬＥＤ光源では十分な照度が確保できないため、浴室用鏡の幅方向に間隔を隔てて複数のＬＥＤ光源を並設する必要がある。一例としては、ＬＥＤ光源が前記浴室用鏡の裏面側において当該浴室用鏡の幅方向に距離を隔てて複数並設されたＬＥＤ光源基板と、このＬＥＤ光源基板を収容するケーシングとを備えるＬＥＤユニットを、前記浴室用鏡支持フレームに支持することで、浴室用鏡と壁面との間のスペースを小さくして浴室内での圧迫感を緩和し、かつ省エネルギー化を図りかつ交換サイクルを長くすることが考えられる。
しかしながら、前記提案のものでは、各ＬＥＤ光源からの光が浴室用鏡の上方及び下方に向けて浴室内に照射されると、各ＬＥＤ光源から発する光によって、浴室用鏡の幅方向で光の濃淡が生じてしまい、円滑な間接照明を行うことができない。
【０００６】
本発明は、かかる点に鑑みてなされたものであり、その目的とするところは、各ＬＥＤ光源からの光が浴室内に照射された際に光の濃淡を生じさせることなく円滑な間接照明を行うことができる浴室用鏡の支持構造と、これを備えた浴室用鏡ユニットを提供することにある。
【課題を解決するための手段】
【０００７】
前記目的を達成するため、本発明では、浴室に設置される浴室用鏡の上下に配置され、その浴室用鏡の上端又は下端を把持する把持部を備えた上下一対の浴室用鏡支持フレームにより、前記浴室の壁面に対し支持するようにした浴室用鏡の支持構造を前提とする。更に、ＬＥＤ光源が前記浴室用鏡の裏面側において当該浴室用鏡の幅方向に距離を隔てて複数並設されたＬＥＤ光源基板と、このＬＥＤ光源基板を収容するケーシングとを備えるＬＥＤユニットを、前記各浴室用鏡支持フレームのうちの少なくとも一方の浴室用鏡支持フレームに支持する。更に、前記ケーシングに、前記各ＬＥＤ光源から発する光によって生じる光の濃淡を緩和して前記浴室内に照射させる緩和手段と、少なくとも外方面に設けられ、光の濃淡を緩和する拡散層と、押出成形により成形され、前記ＬＥＤ光源基板を内部に収容する筒状部材と、この筒状部材の両端部を閉塞するキャップとを備える。そして、前記筒状部材の両端部のキャップのうちの少なくとも一方に、一端が前記筒状部材の外部空間に開口する管の他端を接続する構成としたものである。
この特定事項により、浴室の壁面に対し浴室用鏡を支持する上下の各浴室用鏡支持フレームのうちの少なくとも一方の浴室用鏡支持フレームに、ＬＥＤ光源基板をケーシングに収容したＬＥＤユニットが支持されていることにより、浴室用鏡と壁面との間のスペースがＬＥＤ光源基板をケーシングに収容したＬＥＤユニットによって小さくなり、壁面からの浴室用鏡の突出量を抑えて浴室内での圧迫感を緩和させている。しかも、光源としてＬＥＤ光源を適用することで、光源の省エネルギー化を図れるとともに、光源の交換サイクルを長くしている。
その場合、前記一方の浴室用鏡支持フレームに支持したＬＥＤユニットのケーシングに、各ＬＥＤ光源から発する光によって生じる光の濃淡を緩和して浴室内に照射させる緩和手段が設けられているので、各ＬＥＤ光源からの光が浴室内に照射された際に光の濃淡を生じさせることはなく、円滑な間接照明を行うことが可能となる。
【０００８】
また、前記ケーシングが、光の濃淡を緩和する拡散層を少なくとも外方面に備えているので、ケーシングの少なくとも外方面に拡散層を設けるだけで、各ＬＥＤ光源からの光が浴室内に照射された際に生じる光の濃淡が緩和され、拡散層によって緩和手段を簡単に構成することができる。
また、前記ケーシングが、押出成形により成形され、かつ前記ＬＥＤ光源基板を内部に収容する筒状部材と、この筒状部材の両端部を閉塞するキャップとを備えているので、ケーシングを押出成形により成形された筒状部材とキャップとによって簡単に構成することができる上、内部にＬＥＤ光源基板を収容した筒状部材の両端部をキャップによって閉塞してケーシングの防水性を効果的に図ることができる。しかも、ケーシングの防水性が高められることにより、ＬＥＤ光源基板に並設される複数のＬＥＤ光源として防水性のＬＥＤ光源を必ずしも設ける必要がなくなり、ＬＥＤ光源の選択肢を広げてコストの低廉化を図ることができる。
更に、前記筒状部材の両端部のキャップのうちの少なくとも一方に、一端が前記筒状部材の外部空間に開口する管の他端が接続されているので、筒状部材の内部空間と外部空間とが管を介して空気流通可能に連通し、ケーシング内外の温度差により発生する差圧が吸収される。このため、ケーシング内外での差圧による経時的なひび割れなどの破損を防止してケーシングの耐水性を図ることができる。しかも、ケーシング内外の温度差により発生する水滴も管を介した空気の流通により円滑に消滅させることができる。
【０００９】
また、前記ケーシングが、外方面から内方へ入り込んだ位置で前記ＬＥＤ光源基板を保持しているので、ケーシングの外方面から内方へ入り込んだ位置でＬＥＤ光源基板を保持しておけば、各ＬＥＤ光源からの光が浴室内に照射されるまでの距離を稼いで光の濃淡が生じ難くなり、各ＬＥＤ光源からの光が浴室内に照射された際に生じる光の濃淡が緩和されて、ＬＥＤ光源基板の保持位置をケーシングの外方面から内方へ入り込んだ位置とすることによって緩和手段を簡単に構成することができる。
【００１２】
更に、前記浴室用鏡の上側に設置されるＬＥＤユニットは、前記ケーシング上面の壁面側から前記把持部側に向かって下り勾配になっているとともに、その下端縁が前記把持部上縁に対してほぼ一致するか少し高くなるように支持されていることが好ましい。
この場合には、浴室用鏡の上側に設置されるＬＥＤユニットの上面に付着した水滴は、壁面側から把持部側に向かって下り勾配となるケーシング上面の傾斜に従って下端縁から把持部上縁にスムーズに導かれる。これにより、浴室用鏡の上側に設置されるＬＥＤユニットから上方に照射される光が水滴によって偏光されることがなく、各ＬＥＤ光源からの光が浴室内に照射された際に光の濃淡を生じさせずにより円滑な間接照明を行うことができる。しかも、ＬＥＤユニットの下端縁が把持部上縁に対してほぼ一致するか少し高くなっているので、把持部上縁に導かれた水滴が把持部上縁に堰き止められることなくその把持部上面を伝って流れ落ち、ＬＥＤユニットの上面及び浴室用鏡支持フレームの上面での水滴の滞留を効果的に防止することができる。
【００１３】
また、本発明に係る浴室用鏡ユニットは、前述した浴室用鏡の支持構造を備えるものである。この場合には、各ＬＥＤ光源からの光が浴室内に照射された際に光の濃淡を生じさせることなく円滑な間接照明を行える浴室用鏡ユニットを提供することが可能となる。
【発明の効果】
【００１４】
以上、要するに、少なくとも一方の浴室用鏡支持フレームに支持したＬＥＤユニットのケーシングに、各ＬＥＤ光源から発する光によって生じる光の濃淡を緩和して浴室内に照射させる緩和手段を設けることで、各ＬＥＤ光源からの光が浴室内に照射された際に光の濃淡を生じさせることなく円滑な間接照明を行うことができる。
また、前述した浴室用鏡の支持構造を備える浴室用鏡ユニットとすることで、前述の如く円滑な間接照明を行うことができる浴室用鏡ユニットを提供することができる。
【図面の簡単な説明】
【００１５】
【図１】本発明の第１の実施の形態に係る浴室用鏡の支持構造を用いた浴室の平面図である。
【図２】本発明の第１の実施の形態に係る浴室用鏡の支持構造により浴室用鏡が設置された壁面を正対する方向から見た浴室の壁面図である。
【図３】図２の浴室用鏡及び浴室用鏡支持フレーム並びにＬＥＤユニットの正面図である。
【図４】図２の浴室用鏡及び浴室用鏡支持フレーム並びにＬＥＤユニットの右側面図である。
【図５】図２のＡ−Ａ線における断面図である。
【図６】本発明の第１の実施の形態に係る浴室用鏡支持フレームの斜視図である。
【図７】図６の浴室用鏡支持フレームの端部付近を拡大して示す斜視図である。
【図８】図６の縦断右側面図である。
【図９】本発明の第１の実施の形態に係るＬＥＤユニットの斜視図である。
【図１０】図９のＬＥＤユニットの端部付近を拡大して示す斜視図である。
【図１１】本発明の第１の実施の形態に係るＬＥＤユニットの縦断右側面図である。
【図１２】本発明の第１の実施の形態に係る右側のキャップの縦断正面図である。
【図１３】本発明の第１の実施の形態に係る左側のキャップの縦断正面図である。
【図１４】本発明の第１の実施の形態に係るＬＥＤユニットの右端部付近の縦断正面図である。
【図１５】本発明の第１の実施の形態に係る浴室用鏡支持フレームにＬＥＤユニットを支持した状態を示す斜視図である。
【図１６】図１５の浴室用鏡支持フレーム及びＬＥＤユニットの端部付近を拡大して示す斜視図である。
【図１７】図１５の浴室用鏡支持フレーム及びＬＥＤユニットの右側面図である。
【図１８】図１５の縦断右側面図である。
【図１９】図１５の浴室用鏡支持フレームをＬＥＤユニットと共に壁面に取り付けた状態を示す斜視図である。
【図２０】図１９の下側浴室用鏡支持フレームの把持部により浴室用鏡を把持した状態を示す斜視図である。
【図２１】図２０の縦断右側面図である。
【図２２】図２０の上側浴室用鏡支持フレームの把持部により浴室用鏡を把持した状態を示す斜視図である。
【図２３】図２２の縦断右側面図である。
【図２４】本発明の第２の実施の形態に係る浴室用鏡及び浴室用鏡支持フレーム並びにＬＥＤユニットの縦断右側面図である。
【図２５】本発明の第２の実施の形態に係る上側の浴室用鏡支持フレーム並びにＬＥＤユニット付近の縦断右側面図である。
【発明を実施するための形態】
【００１６】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１７】
図１及び図２において、１は本発明の第１の実施の形態に係る浴室用鏡の支持構造を備えた浴室用鏡ユニットＸが適用される浴室であって、この浴室１の床パン１１は略矩形状に形成されている。前記浴室１の一側面（図１及び図２では左側の面）には出入口１２が設けられ、残る３面は壁面１３〜１５により仕切られている。前記出入口１２側の床パン１１上には洗い場１６が構成されているとともに、前記出入口１２と対面する壁面１３側（図１及び図２では右側）の床パン１１上には浴槽１７が設置されている。また、前記出入口１２から浴室１内に入って浴槽１７と正対した際に左手側（図１では上側）となる壁面１４には左右方向つまり幅方向に長い略矩形状の浴室用鏡２が設置されている一方、右手側（図１では下側）となる壁面１５にはタオル掛け１８が据え付けられている。
【００１８】
また、図３及び図４に示すように、前記浴室用鏡ユニットＸは、浴室用鏡２の上下に配置された上下一対の浴室用鏡支持フレーム２１，２１により当該浴室用鏡２を壁面１４に対し支持している。具体的には、図５〜図８に示すように、浴室用鏡支持フレーム２１（同一構成となるので、浴室用鏡２の上側の浴室用鏡支持フレーム２１についてのみ説明する）は、前記浴室用鏡２の裏面を支持するように鉛直方向へ延びる裏面支持板２１１と、この裏面支持板２１１の上端に一体的に設けられ、前記浴室用鏡２の上下方向での外端縁を幅方向全域で把持する把持部２１２と、前記裏面支持板２１１の下端より壁面１４側（図７では右側）に向かって略水平に延び、後述するＬＥＤユニット３を支持するユニット支持板２１３と、このユニット支持板２１３の延出端より下方に延び、前記壁面１４に対し止着されるビス２１４を挿入するためのビス孔２１５を有するフランジ片２１６とを備えている。このフランジ片２１６のビス孔２１５は、上下方向に長い長孔形状に形成され、フランジ片２１６の幅方向所定間隔おき（例えば３３０ｍｍおき）に複数設けられている。なお、浴室用鏡支持フレーム２１を浴室用鏡２の下側の浴室用鏡支持フレーム２１として用いる場合は、下側の浴室用鏡支持フレーム２１を上側の浴室用鏡支持フレーム２１に対し上下方向に反転させた状態で用いる。
【００１９】
そして、図９及び図１０に示すように、前記浴室用鏡支持フレーム２１のユニット支持板２１３には、そのユニット支持板２１３に沿って浴室用鏡２の幅方向へ延びるＬＥＤユニット３が支持されている。このＬＥＤユニット３は、ＬＥＤ光源基板３１と、このＬＥＤ光源基板３１を収容する合成樹脂製の半透明乳白色のケーシング３２とを備えている。前記ＬＥＤ光源基板３１は、前記浴室用鏡２の幅方向（図５では紙面手前奥方向）に延びる基板本体３１１と、この基板本体３１１の外周囲を包囲するように筒状に形成された軟質アクリル製の透明ケース３１２と、前記基板本体３１１の長手方向（浴室用鏡２の幅方向）に所定距離（例えば３０ｍｍ）を隔てて複数並設されたＬＥＤ光源３３，３３，…と、前記透明ケース３１２の両端部を水密状に閉止するエンドキャップ３１３，３１３と、このエンドキャップ３１３，３１３のうちの一方から導出され、各ＬＥＤ光源に対し電源を供給する電源線３１４（図１４参照）とを備えている。このＬＥＤ光源基板３１は、前記ケーシング３２の幅方向（図９では左右方向）よりも若干短い長さに設定されている。また、前記ケーシング３２は、押出成形により成形され、かつ前記ＬＥＤ光源基板３１を内部空間３７に収容する断面略矩形枠状の筒状部材３４と、この筒状部材３４の両端部を閉塞するキャップ３５，３６とを備えている。前記筒状部材３４及び各キャップ３５，３６は、図５に示すように、その前後方向（図５では左右方向）の幅がユニット支持板２１３の延出方向となる前後方向の幅と略一致し、上下方向に長い形状を呈している。
【００２０】
また、図１１に示すように、前記筒状部材３４の上下方向一側の一側端３４３（図１１では下端）には、前記浴室用鏡支持フレーム２１のユニット支持板２１３に載置される脚部３４１が一体的に突設されている。前記筒状部材３４には、その一側端３４３の内部空間３７側面（図１１では上面）に沿って前記ＬＥＤ光源基板３１が収容され、この収納されたＬＥＤ光源基板３１の上下方向他側（図１１では上方）への移動を規制する前後一対の突起３４２，３４２が突設されている。この各突起３４２は、前記ＬＥＤ光源基板３１を筒状部材３４の一側端３４３の内部空間３７側面に沿って収容した状態で当該ＬＥＤ光源基板３１の上下方向他側への若干量の移動が許容されるようにＬＥＤ光源基板３１に対し上下方向に１ｍｍ程度の余裕を持って設けられている。そして、ＬＥＤ光源基板３１を筒状部材３４の内部空間３７に収容する場合には、各突起３４２により仕切られた内部空間３７に対し筒状部材３４の幅方向他端部（例えば右端部）からＬＥＤ光源基板３１が各突起３４２に対し余裕を持って挿通されて収容される。
【００２１】
また、図１２及び図１３に示すように、前記キャップ３５，３６は、前記筒状部材３４の幅方向端部より内部空間３７に嵌挿される嵌挿部３５１，３６１と、前記筒状部材３４の外形形状と略一致する外形形状を呈し、その筒状部材３４の幅方向端面に当接するキャップ本体３５２，３６２とからなる。前記嵌挿部３５１，３６１には、前記筒状部材３４の両端部をキャップ３５，３６により閉塞した際に前記各突起３４２との干渉を回避する干渉回避用凹部３５１ａ，３６１ａが設けられている。また、前記キャップ本体３５２，３６２は、前記筒状部材３４の内部空間３７の上下方向一側をその幅方向端面に沿って塞ぐ一側部分３５２ａ，３６２ａと、前記筒状部材３４の内部空間３７の上下方向他側をその幅方向端面より幅方向外方へ膨出した位置で塞ぐ他側部分３５２ｂ，３６２ｂとからなる。更に、図１４に示すように、前記キャップ本体３５２，３６２の一側部分３５２ａ，３６２ａには、可撓性を有する合成樹脂製の管３８の他端を装着可能とする装着部３５３，３６３が設けられている。この装着部３５３，３６３は、前記管３８の他端を内周側及び外周側において保持する環状の保持溝状に形成されている。そして、前記管３８の他端は、右側のキャップ３６（キャップ本体３６２の一側部分３６２ａ）の装着部３６３に装着され、その装着部３６３の中心において開口する開口孔３６３ａを介して筒状部材３４の内部空間３７と連通している。この管３８の一端は、図３に示すように、浴室用鏡２の裏面側に対向する壁面１４に開口させた開口部１４１を介して前記筒状部材３４の外部空間に開口するように浴室１外に導出されている。この管３８と開口部１４１の周縁との間は、パッキン１４２によりシールされている。また、前記管３８の内部には、前記電源線３１４が挿通され、各ＬＥＤ光源３３に対し浴室１外から電源線３１４を介して電源が供給されるようにしている。この場合、図１５に示すように、前記浴室用鏡支持フレーム２１の把持部２１２及び裏面支持板２１１の他側端部（上端部）における幅方向両端部は、筒状部材３４をキャップ３５，３６と共に浴室用鏡２の裏面側から覆うように、幅方向外方へ膨出する他側部分３５２ｂ，３６２ｂの膨出量に合わせて膨出している。
【００２２】
そして、図１６〜図１８に示すように、前記ケーシング３２は、前記浴室用鏡支持フレーム２１のユニット支持板２１３に支持されている。具体的には、前記浴室用鏡支持フレーム２１のユニット支持板２１３に筒状部材３４の脚部３４１が載置された状態で、前記裏面支持板２１１の反把持部２１２側端（図１８では下端）においてその幅方向所定間隔おき（例えば３３０ｍｍおき）に開口する複数のビス孔２１７を介して挿通されるビス３９が筒状部材３４と脚部３４１との間に螺着されることによって、ケーシング３２が浴室用鏡支持フレーム２１のユニット支持板２１３に支持される。このビス孔２１７及びビス３９は、前記各ビス２１４及び各ビス孔２１５の位置とそれぞれ対応している。この場合、前記ケーシング３２を浴室用鏡支持フレーム２１のユニット支持板２１３に支持することによって、筒状部材３４の一側端３４３の内部空間３７側面（図１８では上面）に沿って収容されたＬＥＤ光源基板３１は、筒状部材３４の外方面としての上下方向他側の他側端３４４の反内部空間３７側面（図１８では上面）から内方へ入り込んだ位置で保持されることになる。
【００２３】
また、図１５に示すように、前記浴室用鏡支持フレーム２１の裏面支持板２１１の浴室用鏡２側面の上下方向外端部（上側の浴室用鏡支持フレーム２１では上端部）には、発泡ゴムよりなるシート材４１が接着されている。このシート材４１は、前記各ビス２１４，３９の位置とそれぞれ対応するように、前記浴室用鏡支持フレーム２１の幅方向に距離を隔てて複数設けられ、浴室用鏡２の裏面を裏面支持板２１１に対し弾性的に接触させている。
【００２４】
そして、図１７及び図１８に示すように、前記筒状部材３４（ケーシング３２）は、前記各ＬＥＤ光源３３から発する光によって生じる浴室用鏡２の幅方向での光の濃淡を緩和して前記浴室１内に照射させる緩和手段４２を備えている。具体的には、前記筒状部材３４（ケーシング３２）の外方面としての上下方向他側の他側端３４４の内部空間３７側面（図１８では下面）、並びに筒状部材３４の前後の前側端３４５及び後側端３４６の内部空間３７側面は、前記各ＬＥＤ光源３３から発する光を乱反射させることによって浴室用鏡２の幅方向での光の濃淡を緩和する拡散層を備え、これらの拡散層と、筒状部材３４の他側端３４４の反内部空間３７側面から内方（図１７及び図１８では下方）へ入り込んだ位置で保持されたＬＥＤ光源基板３１とによって、前記緩和手段４２を構成している。
【００２５】
また、前記浴室用鏡２の上側に設置されるＬＥＤユニット３の筒状部材３４の他側端３４４の反内部空間３７側面（上面）は、その反内部空間３７側面の壁面１４側となる後側から前記把持部２１２側となる前側に向かって下り勾配になっているとともに、その下端縁（前端縁）が前記把持部２１２の上縁に対してほぼ一致するように前記上側の浴室用鏡支持フレーム２１に対し支持されている。そして、前記浴室用鏡２の上側に設置されるＬＥＤユニット３の筒状部材３４両端における各キャップ３５，３６の他側部分３５２ｂ，３６２ｂの他側端３０の上面も、その上面の後側から前側に向かって下り勾配になっているとともに、その上面の下端縁が前記把持部２１２の上縁に対してほぼ一致している。また、前記浴室用鏡２の下側に設置されるＬＥＤユニット３の筒状部材３４の他側端３４４の反内部空間３７側面（下面）は、その他側端３４４の反内部空間３７側面の前側から後側に向かって下り勾配になっているとともに、当該他側端３４４の反内部空間３７側面の上端縁が把持部２１２の上縁に対してほぼ一致するように前記下側の浴室用鏡支持フレーム２１に対し支持されている。そして、前記浴室用鏡２の下側に設置されるＬＥＤユニット３の筒状部材３４両端における各キャップ３５，３６の他側部分３５２ｂ，３６２ｂの他側端３０の下面も、その他側端３０の下面の前側から後側に向かって下り勾配になっているとともに、当該他側端３０の下面の上端縁が把持部２１２の上縁に対してほぼ一致している。
【００２６】
更に、前記浴室用鏡２の左右両側部には、図３及び図４に示すように、断面略Ｌ字状の側面カバー４３，４３が取り付けられている。この各側面カバー４３は、上側及び下側の浴室用鏡支持フレーム２１同士の間つまり上下の筒状部材３４の幅方向両端の各キャップ３５，３６の他側部分３５２ｂ，３６２ｂ同士の上下間、つまり左側の各キャップ３５，３５の他側部分３５２ｂ，３５２ｂ同士の上下間及び右側の各キャップ３６，３６の他側部分３６２ｂ，３６２ｂ同士の上下間を浴室用鏡２と壁面１４との間に亘ってそれぞれ個別に水密状に塞ぐ側面カバー本体４３ａと、この各カバー本体４３ａの壁面１４側端より壁面１４に沿って折曲され、複数のビス４４により壁面１４に対し止着されるフランジ片４３ｂとを備えている。
【００２７】
次に、浴室用鏡２を浴室１の壁面１４に設置する手順を図１９〜図２３に基づいて説明する。
まず、図１９に示すように、ＬＥＤユニット３がユニット支持板２１３に支持された上側及び下側の浴室用鏡支持フレーム２１，２１を、浴室用鏡２の上下に対応する壁面１４の対応位置にそれぞれビス孔２１５を介して挿通されたビス２１４により支持する。このとき、各ビス２１４は、上下方向に長いビス孔２１５内においてＬＥＤユニット３及び浴室用鏡支持フレーム２１の自重により上側位置に位置した状態で止着されることになるが、上側の浴室用鏡支持フレーム２１ではビス孔２１５内での各ビス２１４の上下方向へのスライド移動許容範囲内で前記上側の浴室用鏡支持フレーム２１を自重に抗して上方にスライド移動させて当該ビス孔２１５の下側位置に位置付けておく。
【００２８】
次いで、浴室用鏡２の左右両側部に対応する壁面１４の対応位置に左右の側面カバー４３（図１９では右のもののみ示す）を各ビス４４により止着する。このとき、各側面カバー４３は、下側の筒状部材３４の幅方向両端の各キャップ３５，３６の他側部分３５２ｂ，３６２ｂの一側端（図１９では上端）に側面カバー本体４３ａの下端が当接している一方、上側の筒状部材３４の幅方向両端の各キャップ３５，３６の他側部分３５２ｂ，３６２ｂの一側端（図１９では下端）と側面カバー本体４３ａの上端との間にビス孔２１５の上下長さ分の隙間が存在している。
【００２９】
その後、図２０及び図２１に示すように、浴室用鏡２の下端を下側の浴室用鏡支持フレーム２１の把持部２１２に差し込んで把持させる。このとき、浴室用鏡２は、その裏面が各側面カバー４３の側面カバー本体４３ａの浴室１側端に接しており、上側の浴室用鏡支持フレーム２１の把持部２１２と浴室用鏡２の上端との間にビス孔２１５の上下長さ分の隙間が存在している。また、浴室用鏡２をその裏面中央付近と壁面１４との間に塗布したシリコン又はウレタンコーキング材により壁面１４に対し安定して接着するようにしてもよい。
【００３０】
しかる後、図２２及び図２３に示すように、上側の浴室用鏡支持フレーム２１をビス孔２１５の上下長さ分だけ下方へスライド移動させ、把持部２１２に浴室用鏡２の上端を差し込んで把持する。このとき、上側の筒状部材３４の幅方向両端の各キャップ３５，３６の他側部分３５２ｂ，３６２ｂの一側端と側面カバー本体４３ａの上端とが当接し、各ビス２１４がビス孔２１５内において上側位置に位置付けられる。
【００３１】
したがって、本実施の形態では、浴室１の壁面１４に対し浴室用鏡２を支持する上下の各浴室用鏡支持フレーム２１に、ＬＥＤ光源基板３１をケーシング３２に収容したＬＥＤユニット３が支持されていることにより、浴室用鏡２と壁面１４との間のスペースがＬＥＤ光源基板３１をケーシング３２に収容したＬＥＤユニット３によって小さくなり、壁面１４からの浴室用鏡２の突出量を抑えて浴室１内での圧迫感を緩和させている。しかも、光源としてＬＥＤ光源３３を適用することで、光源の省エネルギー化を図れるとともに、光源の交換サイクルを長くしている。
【００３２】
その場合、前記各浴室用鏡支持フレーム２１に支持したＬＥＤユニット３のケーシング３２における筒状部材３４の他側端３４４並びに前側端３４５及び後側端３４６の内部空間３７側面に、各ＬＥＤ光源３３から発する光を乱反射させる拡散層を設け、これらの拡散層と、筒状部材３４の他側端３４４の反内部空間３７側面から内方へ入り込んだ位置で保持されたＬＥＤ光源基板３１とによって、各ＬＥＤ光源３３から発する光によって生じる浴室用鏡２の幅方向での光の濃淡を緩和して浴室１内に照射させる緩和手段４２が構成されている。このため、各ＬＥＤ光源３３からの光が筒状部材３４の他側端３４４並びに前側端３４５及び後側端３４６の内部空間３７側面の拡散層により乱反射されて光の濃淡が緩和される上、筒状部材３４の他側端３４４の反内部空間３７側面から内方へ入り込んだ位置で保持したＬＥＤ光源基板３１の各ＬＥＤ光源３３からの光が浴室１内に照射されるまでの距離を稼いで光の濃淡が生じ難くなる。これにより、各ＬＥＤ光源３３からの光が浴室１内に照射された際に浴室用鏡２の幅方向での光の濃淡を生じさせることはなく、円滑な間接照明を行うことができる。
しかも、筒状部材３４の他側端３４４並びに前側端３４５及び後側端３４６の内部空間３７側面に拡散層を設け、かつＬＥＤ光源基板３１を筒状部材３４の他側端３４４の反内部空間３７側面から内方へ入り込んだ一側端３４３で保持すれば、各ＬＥＤ光源３３からの光が浴室１内に照射された際に生じる浴室用鏡２の幅方向での光の濃淡が緩和されることから、拡散層と保持位置を特定したＬＥＤ光源基板３１とによって緩和手段４２を簡単に構成することができる。
【００３３】
また、ケーシング３２が、押出成形により成形され、かつＬＥＤ光源基板３１を内部に収容する断面略矩形枠状の筒状部材３４と、この筒状部材３４の両端部を閉塞する左右のキャップ３５，３６とを備えているので、ケーシング３２を押出成形により成形された筒状部材３４と左右のキャップ３５，３６とによって簡単に構成することができる。その上、内部にＬＥＤ光源基板３１を収容した筒状部材３４の両端部が各キャップ３５，３６によって閉塞してケーシング３２の防水性を効果的に図ることができる。
しかも、ケーシング３２の防水性が高められることにより、ＬＥＤ光源基板３１に並設される複数のＬＥＤ光源３３として防水性のＬＥＤ光源３３を必ずしも設ける必要がなくなり、ＬＥＤ光源３３の選択肢を広げてコストの低廉化を図ることができる。
【００３４】
また、筒状部材３４の両端部のキャップ３５，３６のうちの右側のキャップ３６の装着部３６３に他端が装着されて開口孔３６３ａを介して筒状部材３４の内部空間３７と連通する管３８の一端が、浴室用鏡２の裏面側に対向する壁面１４の開口部１４１を介して浴室１外に導出されて筒状部材３４の外部空間に開口しているので、ケーシング３２内外の温度差つまり筒状部材３４の内部空間３７と外部空間との温度差により発生する差圧が吸収される。このため、筒状部材３４の内部空間３７と外部空間との間での差圧による経時的なひび割れなどの破損を防止して筒状部材３４の耐水性を図ることができる。しかも、筒状部材３４の内部空間３７と外部空間との温度差により発生する水滴も管３８を介した空気の流通により円滑に消滅させることができる。更に、前記管３８の内部に電源線３１４が挿通され、この電源線３１４によって各ＬＥＤ光源３３に対し浴室１外から電源が供給されるので、筒状部材３４の内部空間３７と外部空間とを連通させるための管３８が、電源線３１４を挿通させるための管３８として利用され、管３８の共用化を図ることができる。
【００３５】
更に、上側の浴室用鏡支持フレーム２１に支持したＬＥＤユニット３の筒状部材３４の他側端３４４の反内部空間３７側面（上面）は、その他側端３４４の反内部空間３７側面の壁面１４側となる後側から前記把持部２１２側となる前側に向かって下り勾配になっているとともに、その他側端３４４の反内部空間３７側面の下端縁が前記把持部２１２の上縁に対してほぼ一致している。このため、上側の浴室用鏡支持フレーム２１に支持したＬＥＤユニット３の上面に付着する水滴は、壁面１４側から把持部２１２側に向かって下り勾配となる他側端３４４の反内部空間３７側面の傾斜に従って下端縁から把持部２１２の上縁にスムーズに導かれる。これにより、上側の浴室用鏡支持フレーム２１に支持したＬＥＤユニット３から上方に照射される光が水滴によって偏光されることがなく、その光が浴室１内に照射された際に光の濃淡を生じさせずにより円滑な間接照明を行うことができる。
しかも、前記ＬＥＤユニット３の筒状部材３４の他側端３４４の反内部空間３７側面（上面）の下端縁及び各キャップ３５，３６の他側部分３５２ｂ，３６２ｂの他側端３０の上面の下端縁が、把持部２１２の上縁に対してほぼ一致しているので、把持部２１２の上縁に導かれた水滴が把持部２１２の上縁に堰き止められることなくその把持部２１２の上面を伝って流れ落ち、上側の浴室用鏡支持フレーム２１及びこれに支持されたＬＥＤユニット３の上面での水滴の滞留を効果的に防止することができる。
【００３６】
加えて、下側の浴室用鏡支持フレーム２１に支持したＬＥＤユニット３の筒状部材３４の他側端３４４の反内部空間３７側面（下面）は、その他側端３４４の反内部空間３７側面の把持部２１２側となる前側から壁面１４側となる後側に向かって下り勾配になっている。このため、下側の浴室用鏡支持フレーム２１に支持したＬＥＤユニット３の下面に付着する水滴は、筒状部材３４の他側端３４４の反内部空間３７側面の反内部空間３７側面が把持部２１２側から壁面１４側に向かって下り勾配となっているために傾斜に従って下端縁から壁面１４にスムーズに導かれる。これにより、下側の浴室用鏡支持フレーム２１に支持したＬＥＤユニット３から下方に照射される光が水滴によって偏光されることがなく、その光が浴室１内に照射された際に光の濃淡を生じさせずにより円滑な間接照明を行うことができる。
【００３７】
そして、このような浴室用鏡２の支持構造を備えた浴室用鏡ユニットＸが用いられているので、各ＬＥＤ光源３３からの光が浴室１内に照射された際に光の濃淡を生じさせることなく円滑な間接照明を行うことができる浴室用鏡ユニットＸを提供することができる。
【００３８】
次に、本発明の第２の実施の形態を図２４及び図２５に基づいて説明する。
この第２の実施の形態では、ケーシングの構成を変更している。なお、ケーシングを除くその他の構成は、前記第１の実施の形態の場合と同じであり、同一部分については同じ符号を付してその詳細な説明は省略する。
【００３９】
すなわち、図２４及び図２５に示すように、ケーシング５１は、上下方向一側（上側の浴室用鏡支持フレーム２１に支持したＬＥＤユニット３では下方）向きに開口する断面略コ字状のコ字状部材５２と、このコ字状部材５２の幅方向両端部を閉塞するキャップ３５，３６とを備えている。前記コ字状部材５２は、その開口に対し上下方向一側から嵌挿される断面略矩形状のスペーサ５３により閉塞されて閉断面形状をなし、このスペーサ５３及び左右のキャップ３６，３６によってコ字状部材５２の内部に水密状の内部空間５４を形成している。前記スペーサ５３の上下方向他側の他側面（図２５では上面）にはＬＥＤ光源基板３１が接着により保持され、これによって、ＬＥＤ光源基板３１は、コ字状部材５２の内部空間５４に水密状に収容されるとともに、コ字状部材５２の外方面としての上下方向他側の他側端５２１の反内部空間５４側面（図２５では上面）から内方へ入り込んだ位置で保持されることになる。
【００４０】
そして、前記コ字状部材５２（ケーシング５１）は、各ＬＥＤ光源３３から発する光によって生じる光の濃淡を緩和して前記浴室１内に照射させる緩和手段５５を備えている。具体的には、前記コ字状部材５２の他側端５２１の内部空間５４側面（図２５では下面）、並びにコ字状部材５２の前後の前側端５２２及び後側端５２３の内部空間５４側面は、各ＬＥＤ光源３３から発する光を乱反射させることによって浴室用鏡２の幅方向での光の濃淡を緩和する拡散層を備え、これらの拡散層と、コ字状部材５２の他側端５２１の反内部空間５４側面から内方へ入り込んだ位置で保持されたＬＥＤ光源基板３１とによって、前記緩和手段５５を構成している。
【００４１】
また、前記コ字状部材５２の他側端５２１は、その他側端５２１の反内部空間５４側面の壁面１４側となる後側から前記把持部２１２側となる前側に向かって下り勾配になっているとともに、その他側端５２１の反内部空間５４側面の下端縁（前端縁）が前記把持部２１２の上縁に対してほぼ一致するように前記浴室用鏡支持フレーム２１に対し支持されている。前記コ字状部材５２は、前記浴室用鏡支持フレーム２１に対し接着材又は両面テープにより接着されて支持されている。また、下側の浴室用鏡支持フレーム２１に支持したＬＥＤユニット３のコ字状部材５２の他側端５２１の反内部空間５４側面（下面）は、その他側端３４４の反内部空間５４側面の把持部２１２側となる前側から壁面１４側となる後側に向かって下り勾配になっているとともに、その反内部空間５４側面の上端縁が把持部２１２の上縁に対してほぼ一致している。なお、コ字状部材５２を浴室用鏡支持フレーム２１に対し接着材又は両面テープにより接着したが、ＬＥＤ光源基板の上下方向他側（図２５では上方）への移動を規制する前後一対の突起をコ字状部材に突設することで、ＬＥＤ光源基板の接着材又は両面テープによる接着を不要にしてもよい。
【００４２】
この場合、本実施の形態では、前記第１の実施の形態と同様の作用・効果が得られることに加え、スペーサ５３の外方面にＬＥＤ光源基板３１が接着により保持されていることにより、ＬＥＤ光源基板３１を保持したスペーサ５３をコ字状部材５２の開口に嵌挿させれば、ＬＥＤ光源基板３１をコ字状部材５２の内部空間５４に簡単に収容することができる。
【００４３】
なお、本発明は、前記各実施の形態に限定されるものではなく、その他種々の変形例を包含している。例えば、前記各実施の形態では、浴室１の壁面１４に一枚の浴室用鏡２を設置したが、浴室用鏡の幅方向一側又は他側に、ＳＵＳ（Stainless Used Steel）又はアクリルなどの平板よりなる化粧板が連設されていてもよい。この場合、化粧板は、浴室用鏡と同一の上下方向寸法でかつ同一の前後方向の厚さに設定する必要があり、浴室用鏡の幅方向他側端又は一側端に対し一体的に接合される。
【００４４】
また、前記各実施の形態では、上側及び下側の浴室用鏡支持フレーム２１，２１の双方のユニット支持板２１３に、ＬＥＤユニット３を支持したが、上側及び下側の浴室用鏡支持フレームのうちの一方の浴室用鏡支持フレームのユニット支持板にのみＬＥＤユニットが支持されていてもよい。この場合には、前記一方の浴室用鏡支持フレームに保持されたＬＥＤユニットからの光のみが浴室内に照射される。
【００４５】
また、前記各実施の形態では、左右のキャップ３５，３６のうちの右側のキャップ３６の装着部３６３にのみ管３８の他端を装着し、その装着部３６３の中心に開口する開口孔３６３ａを介して筒状部材３４の内部空間３７と外部空間とを連通させたが、左側のキャップの装着部の中心に開口孔を開口させておき、その装着部にも管の他端を装着させて筒状部材の内部空間と外部空間とを左右両側から連通させるようにしてもよい。この場合には、筒状部材の内部空間と外部空間との温度差により発生する差圧が迅速に吸収され、差圧による経時的なひび割れなどの破損を防止して筒状部材の耐水性をより図ることが可能となる上、筒状部材の内部空間と外部空間との温度差により発生する水滴もより円滑に消滅させることが可能となる。
【００４６】
また、前記各実施の形態では、筒状部材３４の他側端３４４、前側端３４５及び後側端３４６の内部空間３７側面又はコ字状部材５２の他側端５２１、前側端５２２及び後側端５２３の内部空間５４側面にそれぞれ拡散層を設けたが、筒状部材又はコ字状部材の各側端のうちの少なくとも上下方向他側の他側端（外方端）の内部空間側面に拡散層が設けられていればよい。この場合、拡散層は、筒状部材又はコ字状部材の他側端（外方端）の反内部空間側面に設けられていてもよい。
【００４７】
また、前記各実施の形態では、筒状部材３４の他側端３４４、前側端３４５及び後側端３４６の内部空間３７側面又はコ字状部材５２の他側端５２１、前側端５２２及び後側端５２３の内部空間５４側面にそれぞれ設けた拡散層と、筒状部材３４の他側端３４４の反内部空間３７側面又はコ字状部材５２の他側端５２１の反内部空間５４側面から内方へ入り込んだ位置で保持されたＬＥＤ光源基板３１とによって、前記緩和手段４２，５５を構成したが、拡散層と保持位置を内方に特定したＬＥＤ光源基板とのいずれか一方のみによって緩和手段が構成されていてもよい。
【００４８】
また、前記各実施の形態では、上側の浴室用鏡支持フレーム２１に対しＬＥＤユニット３の筒状部材３４又はコ字状部材５２を、その他側端３４４の反内部空間３７側面又は他側端５２１の反内部空間５４側面を後側から前側に向かって下り勾配とし、その下端縁（前端縁）を把持部２１２の上縁に対してほぼ一致させるように支持したが、上側の浴室用鏡支持フレームに対し筒状部材又はコ字状部材がその他側端の反内部空間側面（外方面）の下端縁を把持部の上縁に対して少し高くするように支持されていてもよい。この場合には、上側の浴室用鏡支持フレームに支持したＬＥＤユニットの上面に付着した水滴は、壁面側から把持部側に向かって下り勾配となる筒状部材又はコ字状部材の他側端の反内部空間側面（外方面）の傾斜に従って下端縁から把持部の上縁に速やかに落下し、ＬＥＤユニットの上面での水滴の滞留をより効果的に防止することが可能となる。
【００４９】
更に、前記各実施の形態では、上側及び下側の浴室用鏡支持フレーム２１，２１のユニット支持板２１３にそのユニット支持板２１３に沿って浴室用鏡２の幅方向へ延びるＬＥＤユニット３，３をそれぞれ保持したが、上側及び下側の浴室用鏡支持フレームに、浴室用鏡の左右両側端部のうちの少なくとも一方の端部において前記各浴室用鏡支持フレーム同士の間を上下方向に延びるＬＥＤユニットが保持されていてもよい。この場合にも、前記各浴室用鏡支持フレームに支持したＬＥＤユニットのケーシングにおける筒状部材又はコ字状部材の外方面となる左右方向他側の他側端の内部空間側面（左側面又は右側面）並びに前側端及び後側端の内部空間側面に、各ＬＥＤ光源から発する光を乱反射させる拡散層を設けたり、筒状部材又はコ字状部材の他側端の反内部空間側面（外方面）から内方へ入り込んだ位置でＬＥＤ光源基板を保持したりすることによって、各ＬＥＤ光源から発する光によって生じる浴室用鏡の幅方向での光の濃淡を緩和して浴室内に照射させる緩和手段が構成される。これにより、各ＬＥＤ光源からの光が浴室内に照射された際に浴室用鏡の上下方向での光の濃淡を生じさせることはなく、円滑な間接照明を行うことが可能となる。
【符号の説明】
【００５０】
１      浴室
１４    壁面
２      浴室用鏡
２１    浴室用鏡支持フレーム
２１２  把持部
３      ＬＥＤユニット
３１    ＬＥＤ光源基板
３２    ケーシング
３３    ＬＥＤ光源
３４    筒状部材
３４４  他側端の内部空間側面（外方面）
３５，３６  キャップ
３８    管
４２    緩和手段
５１    ケーシング
５２１  他側端の内部空間側面（外方面）
５５    緩和手段
Ｘ      浴室用鏡ユニット
【図１】
0005463160.tif 000002
【図２】
0005463160.tif 000003
【図３】
0005463160.tif 000004
【図４】
0005463160.tif 000005
【図５】
0005463160.tif 000006
【図６】
0005463160.tif 000007
【図７】
0005463160.tif 000008
【図８】
0005463160.tif 000009
【図９】
0005463160.tif 000010
【図１０】
0005463160.tif 000011
【図１１】
0005463160.tif 000012
【図１２】
0005463160.tif 000013
【図１３】
0005463160.tif 000014
【図１４】
0005463160.tif 000015
【図１５】
0005463160.tif 000016
【図１６】
0005463160.tif 000017
【図１７】
0005463160.tif 000018
【図１８】
0005463160.tif 000019
【図１９】
0005463160.tif 000020
【図２０】
0005463160.tif 000021
【図２１】
0005463160.tif 000022
【図２２】
0005463160.tif 000023
【図２３】
0005463160.tif 000024
【図２４】
0005463160.tif 000025
【図２５】
0005463160.tif 000026